(57)【要約】【課題】  商品サンプルをその周囲よりも効果的に照明することができたり、特定の商品サンプルだけを効果的に照明することができたりする自動販売機の商品サンプル照明装置を提供する。【解決手段】  商品サンプル２の載置箇所に面状発光体６を配設し、面状発光体６からの光により、透光性を有する商品サンプル２を通して発光するように構成した。この構成により、面状発光体６が各商品サンプル２の載置箇所に対応されて配設されているので、面状発光体６からの光が、各商品サンプル２に集中して照射され、この結果、商品サンプル２とその周囲のサンプル台４との明暗がはっきりしてコントラストが高くなり、商品サンプル２を良好に目立たせることができる。【選択図】    図１
2005285029.tif 000002
【特許請求の範囲】
【請求項１】
商品サンプルの載置箇所に面状発光体を配設し、面状発光体からの光により、透光性を有する商品サンプルを通して発光するように構成した自動販売機の商品サンプル照明装置。
【請求項２】
面状発光体を、商品サンプルを載置するサンプル台と商品サンプルとの間に挟持させた請求項１記載の自動販売機の商品サンプル照明装置。
【請求項３】
サンプル台を面状発光体とした請求項１記載の自動販売機の商品サンプル照明装置。
【請求項４】
サンプル台を、反射部と散光部と透明な導光部とを積層して構成し、光源からの光を導光板に導入し、散光板により、商品サンプルを載置するサンプル台における商品サンプルの載置箇所から光を出射させるように構成した請求項３記載の自動販売機の商品サンプル照明装置。
【請求項５】
光源をサンプル台の端面部に配置し、この光源の光により商品サンプル載置箇所を照射するように構成した請求項３または４記載の自動販売機の商品サンプル照明装置。
【請求項６】
サンプル台の一部に、投入金額が商品金額に達した際に点灯する販売可ランプと商品が売り切れた際に点灯する売切ランプとの少なくとも一方を配設した請求項１〜５の何れか１項に記載の自動販売機の商品サンプル照明装置。
【発明の詳細な説明】
【技術分野】
【０００１】
本発明は自動販売機の商品サンプルを照明する商品サンプル照明装置に関する。
【背景技術】
【０００２】
従来、たばこなどの商品を販売する自動販売機では、図１０、図１１に示すように、接客面に臨む外扉１内に複数の商品サンプル２が、商品選択釦３と対応してサンプル台４の上に並べられている。サンプル台４の裏側には、商品サンプル２を照らす光源としての蛍光灯５が横方向に延びる姿勢で配置されている。商品サンプル２は半透明材料で形成され、サンプル台４における商品サンプル２の裏面位置や底面位置には、商品サンプル２側へ光を透過させる孔部４ａが設けられている。そして、蛍光灯５からの光を、孔部４ａを通して商品サンプル２内に導入させ、商品サンプル２が光るように構成し、また、サンプル台４自体も半透明にして、サンプル台４も自体も若干光るように構成したものもある。さらに、蛍光灯５からの光により、この蛍光灯５の直下段のサンプル台４上に載せられた商品サンプル２に対して上方からも光を照射させ、これによっても照明させている。このような構成は例えば特許文献１〜３などに開示されている。
【０００３】
なお、外扉１におけるサンプル台４の手前側に配置された商品選択釦３が設けられている箇所には、投入金額が商品金額に達した際に点灯する販売可ランプ３ａや商品が売り切れた際に点灯する売切ランプ３ｂが内蔵されている（実際には、商品選択釦３内に販売可ランプ３ａや売切ランプ３ｂが配設され、これらの売可ランプ３ａや売切ランプ３ｂに対応する位置に売可表示や売切表示が印刷されて、売可ランプ３ａや売切ランプ３ｂの点灯時に売可表示や売切表示が認識できるようになっている）。
【特許文献１】特開平７−１２９８３０号公報
【特許文献２】実開平５−１７７７９号公報
【特許文献３】実開平５−３６５７２号公報
【発明の開示】
【発明が解決しようとする課題】
【０００４】
しかしながら、上記従来構成の商品サンプル照明装置では、商品サンプル２だけでなく、その周囲も同様に照らされているので、商品サンプル２とその周囲との明暗の差が少なく、コントラストが低くて商品サンプル２が目立ち難い傾向がある。また、一部の商品サンプル２を特に目立たせて表示させることも行い難いため、新製品や商品拡販のキャンペーンなどにも対応し難い。
【０００５】
また、上記従来構成の商品サンプル照明装置では、光源としての蛍光灯５と、サンプル台４とを別個に設けた構成であるので、自動販売機の組立て時には、サンプル台４の組付け作業以外に蛍光灯５およびその蛍光灯５を点灯させるための安定器やインバータ回路等の組付け工程と、サンプル台４との組付け工程とを個別に行わなければならず、多くの手間や時間がかかってしまう。
【０００６】
さらに、商品選択釦３が設けられている箇所に、販売可ランプ３ａや商品が売り切れた際に点灯する売切ランプ３ｂが内蔵されているため、商品選択釦３が設けられている箇所の構造が実際には極めて複雑となり、製造コストの増加を招いていた。
【０００７】
本発明は上記課題を解決するもので、商品サンプルをその周囲よりも効果的に照明することができたり、特定の商品サンプルだけを効果的に照明することができたりする自動販売機の商品サンプル照明装置を提供することを目的とするものである。
【０００８】
また、さらに本発明は、自動販売機における組立て時の工数や製造コストを低減化できる自動販売機の商品サンプル照明装置を提供することを目的とする。
【課題を解決するための手段】
【０００９】
上記課題を解決するために本発明の請求項１記載の自動販売機の商品サンプル照明装置は、商品サンプルの載置箇所に面状発光体を配設し、面状発光体からの光により、透光性を有する商品サンプルを通して発光するように構成したことを特徴とする。
【００１０】
この構成により、面状発光体が各商品サンプルの載置箇所に対応されて配設されているので、面状発光体からの光が、各商品サンプルに集中して照射され、この結果、商品サンプルとその周囲のサンプル台との明暗がはっきりしてコントラストが高くなり、商品サンプルを良好に目立たせることができる。また、各面状発光体や複数の面状発光体を有するグループ毎に制御することで、特定の商品サンプルを特に目立たせることもできる。
【００１１】
請求項２記載の発明は、請求項１記載の自動販売機の商品サンプル照明装置において、面状発光体を、商品サンプルを載置するサンプル台と商品サンプルとの間に挟持させたことを特徴とする。
【００１２】
これにより、従来から用いられていたサンプル台や商品サンプルを用いることが可能となる。
請求項３記載の発明は、請求項１記載の自動販売機の商品サンプル照明装置において、サンプル台を面状発光体としたことを特徴とする。
【００１３】
この構成により、光源としての面状発光体とサンプル台とを一体化することができるので、自動販売機の組立て時には、予め面状発光体が一体化されたサンプル台を組み付けるだけで済み、この際の手間や時間を最小限に抑えることができる。
【００１４】
請求項４記載の発明は、請求項３記載の自動販売機の商品サンプル照明装置において、サンプル台を、反射部と散光部と透明な導光部とを積層して構成し、光源からの光を導光板に導入し、散光板により、商品サンプルを載置するサンプル台における商品サンプルの載置箇所から光を出射させるように構成したことを特徴とする。
【００１５】
この構成により、比較的簡単な構成で、サンプル台における商品サンプルの載置箇所から光を良好に出射させることができる。
請求項５記載の発明は、請求項３または４記載の自動販売機の商品サンプル照明装置において、光源をサンプル台の端面部、例えば、サンプル台の側面部やサンプル台の底面部の背面端部に配置し、この光源の光により商品サンプル載置箇所を照射するように構成したことを特徴とする。
【００１６】
この構成によっても、比較的簡単な構成で、サンプル台における商品サンプルの載置箇所から光を良好に出射させることができる。また、サンプル台の側面部に光源を配置した場合には、複数の商品サンプルを照明することができる。
【００１７】
請求項６記載の発明は、請求項１〜５の何れか１項に記載の自動販売機の商品サンプル照明装置において、サンプル台の一部に、投入金額が商品金額に達した際に点灯する販売可ランプと商品が売り切れた際に点灯する売切ランプとの少なくとも一方を配設したことを特徴とする。
【００１８】
この構成により、サンプル台に販売可ランプや売切ランプを組み込むことができて、商品選択釦に販売可ランプや売切ランプを組込まなくて済み、商品選択釦の構造を簡略化でき、これにより組立て工数の低減化や製造コストの低減化を図ることができる。
【発明の効果】
【００１９】
以上のように本発明によれば、商品サンプルの載置箇所に面状発光体を配設し、面状発光体からの光により、透光性を有する商品サンプルを通して発光するように構成したことにより、面状発光体からの光が、各商品サンプルに集中して照射され、商品サンプルを良好に目立たせるように照明できる。また、各面状発光体や複数の面状発光体を有するグループ毎に制御することで、特定の商品サンプルを特に目立たせることもできる。これにより、新製品や商品拡販のキャンペーンなどの商品を効果的に目立たせることができる。
【００２０】
また、面状発光体を、商品サンプルを載置するサンプル台と商品サンプルとの間に挟持させて配置することにより、従来から用いられていたサンプル台や商品サンプルを用いることが可能となる。
【００２１】
また、サンプル台を面状発光体とすることで、光源としての面状発光体とサンプル台とを一体化することができ、自動販売機の組立て時の手間や時間を最小限に抑えることができる。
【００２２】
また、サンプル台を、反射部と散光部と透明な導光部とを積層して構成し、光源からの光を導光板に導入し、散光板により、商品サンプルを載置するサンプル台における商品サンプルの載置箇所から光を出射させるように構成することにより、比較的簡単な構成で、サンプル台における商品サンプルの載置箇所から光を良好に出射させることができる。
【００２３】
また、光源をサンプル台の端面部、例えば側面部に配置し、この光源の光により商品サンプル載置箇所を照射するように構成することでも、比較的簡単な構成で、サンプル台における商品サンプルの載置箇所から光を良好に出射させることができる。また、光源をサンプル台の側面部に配置した場合には、サンプル台の側面部に配置した光源により、複数の商品サンプルを照明することができる利点がある。
【００２４】
また、光源を、サンプル台の端面部の一例として、底面部の背面端部に配置し、この光源の光により、商品サンプル載置箇所を照射することでも、サンプル台における商品サンプルの載置箇所から光を良好に出射させることができるとともに、特定の商品サンプルを特に目立たせることもできる。
【００２５】
さらに、サンプル台の一部に、投入金額が商品金額に達した際に点灯する販売可ランプと商品が売り切れた際に点灯する売切ランプとの少なくとも一方を配設することで、商品選択釦の構造を簡略化でき、これにより組立て工数の低減化や製造コストの低減化を図ることができる。また、サンプル台に配置されている価格表示部の照光回路や、価格表示を液晶などで表示するための回路を同一基板上に配置したり、一部の回路を共用したりしてもよい。
【発明を実施するための最良の形態】
【００２６】
以下、本発明の実施の形態にかかる自動販売機の商品サンプル照明装置を図面に基づき説明する。なお、従来の自動販売機の構成要素と同様な機能のものには同符号を付して、その説明は省略する。
【００２７】
図１〜図３に示すように、商品サンプル２を載置するサンプル台４における商品サンプル２の載置箇所には面状発光体６が配設されている。この面状発光体６は、有機ＥＬなどのＥＬ（エレクトロルミネッセンス）や白色ＬＥＤ（赤、青、緑の３色発光させることで白色発光できる）などを利用した板状発光体から構成され、電圧を変更することで発光量を変更することが可能であり、有機ＥＬや白色ＬＥＤを用いた場合には、赤、青、緑の発光量を調整することで色を調整することも可能であり、さらには、通電量により色温度を調整可能に構成することもできる。
【００２８】
なお、白色ＬＥＤを用いた場合の面状発光体６の構造の例としては、図４（ａ）に示すように、反射板１１と散光板１２と導光板（透明板）１３とを積層し、その一端側から白色ＬＥＤ１４の光を出射させて、導光板１３を通して前方に出射させたり、図４（ｂ）に示すように、散光するように突起１２ａを設けるなどして散光加工した反射板１１と導光板（透明板）１３とを積層し、その一端側から白色ＬＥＤ１４の光を出射させたりする。なお、白色ＬＥＤ１４が設けられていない側面外周にも反射板１１を配設する。また、図４（ｃ）に示すように、白色ＬＥＤ１４と反射板１１と導光板（透明板）１３とだけで構成することも可能であるが、この場合には、面状発光体６の面に直交する方向に出射し難いため、好ましくはない。
【００２９】
図１、図３（ｂ）〜（ｄ）に示すように、面状発光体６は、薄肉で、正面から見た場合に、商品サンプル２よりも縦横に小さな大きさとされ、面状発光体６からの光が外部に洩れることなく、商品サンプル２のみに主として前方に向かって照射される。また、この実施の形態では、面状発光体６は、サンプル台４と商品サンプル２との間に挟持された姿勢で配設されている。なお、面状発光体６からの光が洩れない範囲で、面状発光体６を商品サンプル２と同様の幅としたり同様の高さとしたりしてもよい。
【００３０】
商品サンプル２は、図３（ａ）〜（ｄ）に示すように、箱形状（この実施の形態ではたばこの商品サンプル２である）であり、前面、両側面および上面が半透明で図柄が印刷されている一方、他の面、少なくとも裏面が透明材料で構成されている。なお、裏面に、光を通すための孔を形成するように構成してもよく、この場合には、裏面は透明でも半透明でもよく、開口面積が大きい場合には不透明材料を用いてもよい。
【００３１】
また、図１、図２に示すように、面状発光体６はコネクタ７で接続されて通電され、図示しない制御部により、各面状発光体６毎に別個に発光量や色を制御可能に構成されている。なお、図１、図２における８は、各コネクタ７に給電する接続配線部である。
【００３２】
この構成によれば、面状発光体６が各商品サンプル２の載置箇所に対応されて配設されているので、面状発光体６からの光が、各商品サンプル２に集中して照射され、この結果、暗いサンプル台４において商品サンプル２だけが内側から明るく照らされ、商品サンプル２とその周囲のサンプル台４との明暗がはっきりしてコントラストが高くなり、商品サンプル２を良好に目立たせることができる。また、各面状発光体６や複数の面状発光体６を有するグループを個別に制御することで、特定の商品サンプル２を特に目立たせることもできる。具体的には、特定の商品サンプル２に対応する面状発光体６の発光量を高めに制御したり、特定の商品サンプル２に対応する面状発光体６のみ点滅させるように制御したり、特定の商品サンプル２に対応する面状発光体６を、他の面状発光体６とは異なる色に発色するように制御したりする。また、商品サンプル２の模様の色に対応させて発色する色や色温度を調整してもよく、これによれば、商品サンプル２をより美しく照明することができる。ここで、商品サンプル２の色が白系のものは、色温度が高いか、少し青い色の方が映え、また、商品サンプル２の色が赤系のものは、色温度が低いか、少し赤黄色の方が映えるので、商品サンプル２の色に合わせて、面状発光体６の色を制御すると、商品サンプル２が美しく発光する。さらに、照明が必要な商品サンプル２だけに光を当てればよいので、省エネルギーにもなる。
【００３３】
また、上記構成によれば、面状発光体６を、サンプル台４と商品サンプル２との間に挟持させて配置することで、従来から用いられていたサンプル台４や商品サンプル２を用いることが可能となる。なお、サンプル台４としては透光性を有しない材料を用いても何ら支障をきたすことはない。
【００３４】
また、面状発光体６を、サンプル台４と商品サンプル２との間に配置する代わりに、図５に示すように、面状発光体６を、商品サンプル２の背面部などに組込んでもよいが、この場合には、商品サンプル２自体の構造を変更する必要がある。
【００３５】
また、何れの場合にも、図１において仮想線で示すように、蛍光灯５を併用して用いることも可能である。
次に、図６、図７は本発明の他の実施の形態に係る自動販売機の商品サンプル照明装置を示す。なお、上記実施の形態の自動販売機の構成要素と同様な機能のものには同符号を付して、その説明は省略する。
【００３６】
図６、図７に示すように、これらの商品サンプル照明装置では、サンプル台２０自体が面状発光体６をなすように構成されている。つまり、商品サンプル２を載置するサンプル台２０が主として透明材料の導光板で形成され、図６に示す場合には、サンプル台２０の一側面部（端面部の一例）に複数の白色などのＬＥＤからなる光源２１が固着されて配設されている。そして、この光源２１からの光が、商品サンプル２の載置箇所のみから発光されるように、サンプル台２０の裏面や底面、天面には、反射フィルム２２（図４における反射板１１に相当する）が貼り付けられ、また、商品サンプル２の載置箇所に対応する箇所に散光加工が施された散光部２３（図４（ｂ）における突起１２ａに相当する）が設けられている。なお、光源２１が配設されていない側のサンプル台２０の側面部にも反射フィルム２２が貼り付けられている。
【００３７】
この構成によっても、サンプル台２０からの光の出射部分（散光部２３が設けられている箇所）が各商品サンプル２の載置箇所に対応されて配設されているので、光源２１からの光が散光部２３で反射されて、各商品サンプル２に集中して照射され、商品サンプル２とその周囲のサンプル台２０とで明暗がはっきりしてコントラストが高くなり、商品サンプル２を良好に目立たせることができる。また、各段のサンプル台２０を個別に制御することで、特定の段の商品サンプル２を特に目立たせることもできる。具体的には、特定段のサンプル台２０の発光量を高めに制御したり、点滅させるように制御したり、他の段のサンプル台２０とは異なる色に発色するように制御したりすることで、特定の段の商品サンプル２を特に目立たせることができる。また、商品サンプル２の模様の色に対応させて発色する色や色温度を調整してもよい。
【００３８】
また、上記構成によれば、光源２１とサンプル台２０とが一体化されているので、自動販売機の組立て時には、従来のような蛍光灯５およびその蛍光灯５を点灯させるための安定器やインバータ回路等の組付け作業などを行わなくて済み、すなわち、サンプル台２０を組み付けるだけで済み、この際の手間や時間を最小限に抑えることができる。
【００３９】
さらに、上記構成によれば、比較的簡単な構成で、サンプル台２０における商品サンプル２の載置箇所から光を良好に出射させることができる上に、サンプル台２０の側面部に配置した光源２１により、同一のサンプル台２０に載せられた複数の商品サンプル２を全て照明することができる利点もある。
【００４０】
また、サンプル台２０の側面部に複数の白色などのＬＥＤからなる光源２１を配設する代わりに、図７に示すように、サンプル台２０の底面部２０ａにおける奥端部（端面部の他の例）に複数の白色などのＬＥＤからなる光源２１を一体化して配設させてもよい。この場合には、光源２１からの光が、商品サンプル２の載置箇所のみから発光されるように、サンプル台２０の裏面や底面、天面にそれぞれ反射フィルム２２（図４における反射板１１に相当する）が貼り付けられ、また、商品サンプル２の載置箇所に対応する箇所に散光加工が施された散光部２３（図４（ｂ）における突起１２ａに相当する）が設けられている。
【００４１】
この構成によっても、サンプル台２０からの光の出射部分（散光部２３が設けられている箇所）が各商品サンプル２の載置箇所に対応されて配設されているので、サンプル台２０（面状発光体６）からの光が、各商品サンプル２に集中して照射され、商品サンプル２とその周囲のサンプル台４との明暗がはっきりしてコントラストが高くなり、商品サンプル２を良好に目立たせることができる。また、この構成においては、各商品サンプル２に対応する光源２１を各商品サンプル２に対して個別に制御できるので、特定の商品サンプル２を特に目立たせることもできる。
【００４２】
また、ＬＥＤからなる光源２１を配設する代わりに、有機ＥＬなどのＥＬを用いてもよい。
図８、図９は本発明のその他の実施の形態に係る自動販売機の商品サンプル照明装置を示す。なお、上記実施の形態の自動販売機の構成要素と同様な機能のものには同符号を付して、その説明は省略する。
【００４３】
図８、図９に示すように、この商品サンプル照明装置では、サンプル台２０自体が面状発光体をなすように構成されているとともに、サンプル台２０の底面部２０ａに、投入金額が商品金額に達した際に点灯する販売可ランプ３ａと商品が売り切れた際に点灯する売切ランプ３ｂとが配設されている。図８、図９に示すものにおいては、サンプル台２０の底面部２０ａの直下に基板２４が配設され、底面部２０ａの奥端部に、各商品サンプル２を照明する複数の白色などのＬＥＤからなる光源２１が配設されている。また、サンプル台２０の底面部２０ａの前縁部２０ｂが下方に延ばされ、この前縁部２０ｂに、売可表示が印刷されている売可表示部２５と売切表示が印刷されている売切表示部２６とが記載され、これらの直ぐ裏側の対応する位置に、基板２４の前縁から上方に突出させて販売可ランプ３ａと売切ランプ３ｂとが配設されている。
【００４４】
このような構成によれば、図６、図７に示す上記実施の形態と同様の作用効果を得ることができるだけでなく、サンプル台２０に販売可ランプ３ａや売切ランプ３ｂを組み込んでいるので、商品選択釦３に販売可ランプや売切ランプを組込まなくて済み、商品選択釦３の構造を簡略化でき、これにより組立て工数の低減化や製造コストの低減化をさらに図ることができる。なお、サンプル台２０に販売可ランプ３ａまたは売切ランプ３ｂの一方のみを組込んでもよく、この場合でも、商品選択釦３には残りのランプを組込むだけで済んで、比較的構造を簡素化できる。また、サンプル台２０に配置されている価格表示部の照光回路や、価格表示を液晶などで表示するための回路を同一基板２４上に配置したり、一部の回路を共用したりしてもよい。
【００４５】
また、図６〜図９に示す実施の形態においては、サンプル台２０における、商品サンプル２の載置箇所に対応して散光部２３を設けた場合を述べ、この場合には、商品サンプル２を目立たせる効果が大きいが、サンプル台２０全体から出射するように散光部２３を設けることも可能である。この場合には、商品サンプル２とその周囲のサンプル台４との明暗が少なくなりコントラストが低くなる欠点があるが、光源２１とサンプル台２０とが一体化されているので、自動販売機の組立て時の手間や時間を最小限に抑えることができる利点がある。また、サンプル台２０における導光部分自体に半透明となるように着色してもよい。
【００４６】
なお、照明する商品サンプル２としては、たばこなどの箱型商品の場合が、面状発光体６により均等に美しく照明することができる利点があるが、これに限るものでは無く、缶商品などの円筒状や半円筒上の商品サンプルにも適応可能である。
【００４７】
また、上記実施の形態における光源としてＬＥＤを用いた場合に、白色のものを用いた場合を述べたが、これに限るものではなく、青色や緑色、赤色などのＬＥＤを用いることも可能である。さらに、面状発光体として蛍光体を面状に塗布し、この蛍光体に青い光を当てて白く光らせてもよい。
【図面の簡単な説明】
【００４８】
【図１】本発明の実施の形態にかかる自動販売機の商品サンプル照明装置の側面断面図である。
【図２】同自動販売機の商品サンプル照明装置の正面図である。
【図３】（ａ）は同商品サンプル照明装置に用いられる商品サンプルの裏側から見た斜視図、（ｂ）〜（ｄ）は同サンプル照明装置に用いられる商品サンプルおよび面状発光体の平面図、正面図および側面図である。
【図４】（ａ）〜（ｃ）はそれぞれ同商品サンプル照明装置の面状発光体の側面断面図である。
【図５】同商品サンプル照明装置の変形例を示す側面断面図である。
【図６】本発明の他の実施の形態にかかる自動販売機の商品サンプル照明装置の斜視図である。
【図７】同商品サンプル照明装置の変形例を示す斜視図である。
【図８】本発明のその他の実施の形態にかかる自動販売機の商品サンプル照明装置の側面断面図である。
【図９】同商品サンプル照明装置の斜視図である。
【図１０】従来の自動販売機の商品サンプル照明装置の側面断面図である。
【図１１】同従来の商品サンプル照明装置の正面図である。
【符号の説明】
【００４９】
２      商品サンプル
３ａ    販売可ランプ
３ｂ    売切ランプ
４      サンプル台
６      面状発光体
１１    反射板
１２    散光板
１３    導光板
１４    白色ＬＥＤ
２０    サンプル台
２０ａ    底面部
２１    光源
２２    反射フィルム
２３    散光部
２４    基板
２５    売可表示部
２６    売切表示部
【図１】
2005285029.tif 000003
【図２】
2005285029.tif 000004
【図３】
2005285029.tif 000005
【図４】
2005285029.tif 000006
【図５】
2005285029.tif 000007
【図６】
2005285029.tif 000008
【図７】
2005285029.tif 000009
【図８】
2005285029.tif 000010
【図９】
2005285029.tif 000011
【図１０】
2005285029.tif 000012
【図１１】
2005285029.tif 000013